(57)【要約】【課題】フォーカスが合わされた対象をユーザに正確に把握させる。【解決手段】ディジタルカメラ３１は、画像を撮像する撮像素子３４と、画像およびフォーカス枠を表示するLCD３８とを有している。ディジタルカメラ３１では、記録画像が撮像されたときに、LCD３８に表示されていたフォーカス枠の位置と大きさを示すフォーカス枠情報が取得されるとともに、記録画像をLCD３８に表示させるにあたり、記録画像が撮像されたときにLCD３８に表示されていた画像に対する記録画像の倍率が決定される。そして、記録画像が、その倍率でLCD３８に表示されるにあたり、フォーカス枠情報に基づいて、記録画像においてフォーカスが合わされた範囲を示すフォーカス枠が、その倍率でLCD３８に表示される。本発明は、例えば、ディジタルカメラに適用できる。【選択図】図３
2008067159.tif 000002
【特許請求の範囲】
【請求項１】
画像を撮像し、ユーザの操作に応じて撮像された所定の前記画像を記録画像として記録する撮像装置において、
前記画像を撮像する撮像素子と、
前記撮像素子により撮像された前記画像と、フォーカスを合わせる制御に用いられる範囲を示す第１のフォーカス枠とを表示する表示手段と、
前記記録画像が撮像されたときに、前記表示手段に表示されていた前記第１のフォーカス枠の位置と大きさを示すフォーカス枠情報を取得する取得手段と、
前記記録画像を前記表示手段に表示させるにあたり、前記記録画像が撮像されたときに前記表示手段に表示されていた前記画像に対する前記記録画像の倍率を決定する決定手段と、
前記表示手段に、前記記録画像を前記倍率で表示させるとともに、前記フォーカス枠情報に基づいて、前記記録画像においてフォーカスが合わされた範囲を示す第２のフォーカス枠を、前記第１のフォーカス枠に対して前記倍率で表示させる表示制御手段と
を備える撮像装置。
【請求項２】
前記決定手段は、前記記録画像の画素数と、前記表示手段の画素数との比率に基づいて、前記倍率を決定する
請求項１に記載の撮像装置。
【請求項３】
前記撮像装置は、フォーカスを制御する制御モードとして、複数のフォーカスの制御モードを有しており、
前記取得手段は、フォーカスの制御モードを示すフォーカスモード情報を取得し、
前記表示手段は、前記フォーカスモード情報に基づいて、それぞれのフォーカスの制御モードに応じた前記第１または第２のフォーカス枠を表示する
請求項１に記載の撮像装置。
【請求項４】
前記表示制御手段は、前記記録画像を前記倍率で表示させないことがユーザによりあらかじめ設定されていた場合には、前記記録画像が撮像されたときに前記表示手段に表示されていた前記画像と同じ大きさで前記記録画像を前記表示手段に表示させるとともに、前記第１のフォーカス枠と同じ大きさで前記第２のフォーカス枠を前記表示手段に表示させる
請求項１に記載の撮像装置。
【請求項５】
前記記録画像と前記フォーカス枠情報とを対応付けて記録媒体に記録させる記録制御手段をさらに備え、
前記表示制御手段は、前記記録媒体から読み出された前記記録画像が前記表示手段に表示されるにあたり、前記記録媒体に記録された前記フォーカス枠情報に基づいて、前記第２のフォーカス枠を前記表示手段に表示させる
請求項１に記載の撮像装置。
【請求項６】
画像を撮像し、ユーザの操作に応じて撮像された所定の前記画像を記録画像として記録する撮像装置の撮像方法において、
前記撮像装置は、
前記画像を撮像する撮像素子と、
前記撮像素子により撮像された前記画像と、フォーカスを合わせる制御に用いられる範囲を示す第１のフォーカス枠とを表示する表示手段と
を備え、
前記記録画像が撮像されたときに、前記表示手段に表示されていた前記第１のフォーカス枠の位置と大きさを示すフォーカス枠情報を取得し、
前記記録画像を前記表示手段に表示させるにあたり、前記記録画像が撮像されたときに前記表示手段に表示されていた前記画像に対する前記記録画像の倍率を決定し、
前記表示手段に、前記記録画像を前記倍率で表示させるとともに、前記フォーカス枠情報に基づいて、前記記録画像においてフォーカスが合わされた範囲を示す第２のフォーカス枠を、前記第１のフォーカス枠に対して前記倍率で表示させる
ステップを含む撮像方法。
【請求項７】
画像を撮像し、ユーザの操作に応じて撮像された所定の前記画像を記録画像として記録する撮像装置を制御するコンピュータに実行させるプログラムにおいて、
前記撮像装置は、
前記画像を撮像する撮像素子と、
前記撮像素子により撮像された前記画像と、フォーカスを合わせる制御に用いられる範囲を示す第１のフォーカス枠とを表示する表示手段と
を備え、
前記記録画像が撮像されたときに、前記表示手段に表示されていた前記第１のフォーカス枠の位置と大きさを示すフォーカス枠情報を取得し、
前記記録画像を前記表示手段に表示させるにあたり、前記記録画像が撮像されたときに前記表示手段に表示されていた前記画像に対する前記記録画像の倍率を決定し、
前記表示手段に、前記記録画像を前記倍率で表示させるとともに、前記フォーカス枠情報に基づいて、前記記録画像においてフォーカスが合わされた範囲を示す第２のフォーカス枠を、前記第１のフォーカス枠に対して前記倍率で表示させる
ステップを含むプログラム。
【発明の詳細な説明】
【技術分野】
【０００１】
本発明は、撮像装置および撮像方法、並びにプログラムに関し、特に、表示手段に表示された記録画像により、ユーザに、フォーカスが合わされた対象を正確に把握させることができるようにした撮像装置および撮像方法、並びにプログラムに関する。
【背景技術】
【０００２】
一般に、ディジタル（スチル）カメラは、画像を撮像する撮像素子や、撮像素子により撮像された画像を表示するディスプレイなどを備えており、撮像素子により撮像されている画像を、ディスプレイにリアルタイムに表示する。ユーザは、ディスプレイにリアルタイムに表示されている画像（以下、適宜、スルー画像という）により被写体の構図を決定し、シャッタを操作することができる。
【０００３】
また、ディジタルカメラは、スルー画像に重畳して、フォーカスの制御に用いられる範囲を示すフォーカス枠も、ディスプレイに表示する。そして、ユーザが、シャッタを操作すると、ディジタルカメラは、フォーカス枠の範囲内に表示されている被写体にフォーカスを合わせ、ユーザの操作に応じて、撮像素子により撮像された画像を記録画像として、例えば、着脱可能なメモリカードなどに記録する。
【０００４】
さらに、ディジタルカメラは、記録画像をメモリカードに記録するにあたり、例えば、２秒程度、スルー画像に替えて記録画像をディスプレイに表示する。ユーザは、ディスプレイに表示されている記録画像（以下、適宜、レビュー画像という）を確認することで、例えば、被写体にフォーカスが合っているかなどを判断することができる。
【０００５】
ところで、近年、撮像素子の画素数の増加に伴い、記録画像の高解像度化が進んでおり、記録画像の画素数が増加している。一方、ディスプレイの画素数は、記録画像の画素数の増加ほど、増加しておらず、ディスプレイに表示されるレビュー画像の画素数と、記録媒体に記録される記録画像の画素数との差が拡大している。
【０００６】
レビュー画像の画素数と記録画像の画素数との差が拡大すると、ディスプレイに表示されたレビュー画像では、ユーザは、記録画像の細部を確認することができず、被写体にフォーカスが合っているかどうかの判断が困難になる。
【０００７】
そこで、例えば、記録画像の一部を拡大した画像をレビュー画像としてディスプレイに表示するディジタルカメラがある（例えば、特許文献１参照）。
【０００８】
記録画像の一部を拡大した画像がレビュー画像としてディスプレイに表示されることで、ユーザは、記録画像の細部を確認することができ、被写体にフォーカスが合っているかどうかの判断を容易に行うことができる。
【０００９】
図１および図２は、従来のディジタルカメラのディスプレイに表示されるスルー画像またはレビュー画像の表示例である。
【００１０】
なお、例えば、ユーザは、ディジタルカメラを操作して、画面の任意の位置にフォーカス枠を配置させることができ、図１の表示例では、画面の中央にフォーカス枠が配置され、図２の表示例では、画面の中央より左下側にフォーカス枠が配置されている。
【００１１】
図１の上側には、ユーザによりシャッタが操作されたとき（または、その直前）のスルー画像１１ａが示されており、図１の中央には、スルー画像１１ａと等しい大きさの記録画像であるレビュー画像１１ｂが示されており、図１の下側には、スルー画像１１ａを４倍に拡大した画像に対応する記録画像の一部の画像であるレビュー画像１１ｃが示されている。
【００１２】
例えば、ユーザが、飛行機１２ａを被写体とし、ディスプレイの画面の中央に飛行機１２ａが配置されるようにディジタルカメラを動かすと、ディジタルカメラは、画面の中央に飛行機１２ａが配置されたスルー画像１１ａをディスプレイに表示する。また、ディスプレイには、スルー画像１１ａの飛行機１２ａに重ね合わされて、フォーカス枠１３ｃが表示されている。
【００１３】
そして、例えば、ディスプレイの画素数と記録画像の画素数とが同一であれば、ユーザが、スルー画像１１ａのように構図を決定してシャッタを操作すると、ディジタルカメラは、そのシャッタの操作に応じて撮像された画像を記録画像として記録するとともに、スルー画像１１ａに表示される飛行機１２ａと等しい大きさの飛行機１２ｂが表示されるレビュー画像１１ｂをディスプレイに表示する。また、ディジタルカメラは、スルー画像１１ａに重畳して表示されていたフォーカス枠１３ａと同一の位置と大きさのフォーカス枠１３ｂをディスプレイに表示する。
【００１４】
一方、例えば、ディスプレイの画素数に対して、記録画像の画素数が４倍であれば、ユーザが、スルー画像１１ａのように構図を決定してシャッタを操作すると、ディジタルカメラは、そのシャッタの操作に応じて撮像された画像を、記録画像として記録するとともに、スルー画像１１ａに表示される飛行機１２ａの４倍の大きさの飛行機１２ｃが表示されるレビュー画像１１ｃをディスプレイに表示する。また、ディジタルカメラは、スルー画像１１ａに重畳して表示されていたフォーカス枠１３ａと同一の位置と大きさのフォーカス枠１３ｃをディスプレイに表示する。
【００１５】
即ち、レビュー画像１１ｃは、スルー画像２１ａに対して４倍の大きさの記録画像の一部が、スルー画像１１ａにおいてフォーカス枠１３ａが表示されていた箇所を中心としてディスプレイに表示された画像である。
【００１６】
このように、従来のディジタルカメラでは、レビュー画像１１ｃにおいて、飛行機１２ｃは、スルー画像１１ａに表示される飛行機１２ａに対して４倍の大きさで表示されるが、スルー画像１１ａに重畳して表示されるフォーカス枠１３ａとレビュー画像１１ｃに重畳して表示されるフォーカス枠１３ｃとは同一の大きさで表示される。従って、レビュー画像１１ｃに映っている被写体のうちの、フォーカス枠１３ｃが囲む範囲に映っている被写体の部分は、スルー画像１１ａに映っている被写体のうちの、フォーカスの制御に用いられるフォーカス枠１３ａが囲む範囲に映っている被写体の部分よりも狭くなる。
【００１７】
即ち、スルー画像１１ａでは、フォーカス枠１３ａが囲む範囲に、飛行機１２ａの胴体と左右の主翼の胴体側の一部分が映っているが、レビュー画像１１ｃでは、フォーカス枠１３ｃが囲む範囲に、飛行機１２ｃの胴体の、スルー画像１１ａの場合よりも狭い一部分しか映っておらず、スルー画像１１ａの場合のように、左右の主翼の胴体側の一部分は映っていない。
【００１８】
次に、図２の上側には、ユーザによりシャッタが操作されたとき（または、その直前）のスルー画像２１ａが示されており、図２の中央には、スルー画像２１ａと等しい大きさの記録画像であるレビュー画像２１ｂが示されており、図１の下側には、スルー画像２１ａを４倍に拡大した画像に対応する記録画像の一部の画像であるレビュー画像２１ｃが示されている。
【００１９】
例えば、ユーザが、ディスプレイの画面の中央より左下側にフォーカス枠２３ａが配置されるようにディジタルカメラを操作し、飛行機２２ａを被写体として、画面の左側に飛行機２２ａが配置されるようにディジタルカメラを動かすと、ディジタルカメラは、画面の左側に飛行機２２ａが配置されたスルー画像２１ａをディスプレイに表示する。また、ディスプレイには、スルー画像２１ａの飛行機２２ａの右翼の先端に重ね合わされて、フォーカス枠２３ａが表示されている。
【００２０】
そして、例えば、ディスプレイの画素数と記録画像の画素数とが同一であれば、ユーザが、スルー画像２１ａのように構図を決定してシャッタを操作すると、ディジタルカメラは、そのシャッタの操作に応じて撮像された画像を記録画像として記録するとともに、スルー画像２１ａに表示される飛行機２２ａと等しい大きさの飛行機２２ｂが表示されるレビュー画像２１ｂをディスプレイに表示する。また、ディジタルカメラは、スルー画像２１ａに重畳して表示されていたフォーカス枠２３ａと同一の位置と大きさのフォーカス枠２３ｂをディスプレイに表示する。
【００２１】
一方、例えば、ディスプレイの画素数に対して、記録画像の画素数が４倍であれば、ユーザが、スルー画像２１ａのように構図を決定してシャッタを操作すると、ディジタルカメラは、そのシャッタの操作に応じて撮像された画像を、記録画像として記録するとともに、スルー画像２１ａに表示される飛行機２２ａの４倍の大きさの飛行機２２ｃが表示されるレビュー画像２１ｃをディスプレイに表示する。また、ディジタルカメラは、スルー画像２１ａに重畳して表示されていたフォーカス枠２３ａと同一の大きさのフォーカス枠２３ｃが画面の中央に配置されるように、フォーカス枠２３ｃをディスプレイに表示する。
【００２２】
即ち、レビュー画像２１ｃは、スルー画像２１ａに対して４倍の大きさの記録画像の一部が、スルー画像２１ａにおいてフォーカス枠２３ａが表示されていた箇所を中心としてディスプレイに表示された画像である。
【００２３】
ここで、図１を参照して説明した場合と同様に、レビュー画像２１ｃに映っている被写体のうちの、フォーカス枠２３ｃが囲む範囲に映っている被写体の部分は、スルー画像２１ａに映っている被写体のうちの、フォーカスの制御に用いられるフォーカス枠２３ａが囲む範囲に映っている被写体の部分よりも狭くなる。これにより、レビュー画像２１ｃでは、フォーカス枠２３ｃの範囲内には、背景のみが表示される。つまり、スルー画像２１ａでは、フォーカス枠２３ａの範囲内に飛行機２２ａの右翼の先端が表示されていたのに対し、レビュー画像２１ｃでは、フォーカス枠２３ｃの範囲内には、飛行機２２ｃの右翼の先端は表示されずに、背景のみが表示される。
【００２４】
図１および図２を参照して説明したように、レビュー画像に映っている被写体のうちの、フォーカス枠が囲む範囲に映っている被写体の部分が、スルー画像に映っている被写体のうちの、フォーカスの制御に用いられるフォーカス枠が囲む範囲に映っている被写体の部分よりも狭くなることにより、ユーザは、記録画像のフォーカスが合わされた範囲を正確に把握することができなかった。特に、図２を参照して説明したように、レビュー画像のフォーカス枠の範囲内に、フォーカスが合わされる対象となった被写体が表示されずに背景のみが表示されていると、ユーザは、フォーカス枠の範囲内に表示されている背景にフォーカスが合わされて記録画像が撮像されたと勘違いすることがあった。
【００２５】
即ち、レビュー画像において、フォーカスが合わされる対象となった被写体がフォーカス枠の範囲内に表示されないことにより、ユーザが、フォーカスが合わされた対象を、正確に把握することが困難になることがあった。
【特許文献１】特開２００３−１２５２６９号公報
【発明の開示】
【発明が解決しようとする課題】
【００２６】
例えば、フォーカスが合わされた対象がフォーカス枠の範囲内に正確に表示されたレビュー画像を表示させることにより、ユーザが、フォーカスが合わされた対象を正確に把握することができるディジタルカメラが求められていた。
【００２７】
本発明は、このような状況に鑑みてなされたものであり、ディスプレイに表示されたレビュー画像により、フォーカスが合わされた対象をユーザに正確に把握させることができるようにするものである。
【課題を解決するための手段】
【００２８】
本発明の一側面の撮像装置は、画像を撮像し、ユーザの操作に応じて撮像された所定の前記画像を記録画像として記録する撮像装置であって、前記画像を撮像する撮像素子と、前記撮像素子により撮像された前記画像と、フォーカスを合わせる制御に用いられる範囲を示す第１のフォーカス枠とを表示する表示手段と、前記記録画像が撮像されたときに、前記表示手段に表示されていた前記第１のフォーカス枠の位置と大きさを示すフォーカス枠情報を取得する取得手段と、前記記録画像を前記表示手段に表示させるにあたり、前記記録画像が撮像されたときに前記表示手段に表示されていた前記画像に対する前記記録画像の倍率を決定する決定手段と、前記表示手段に、前記記録画像を前記倍率で表示させるとともに、前記フォーカス枠情報に基づいて、前記記録画像においてフォーカスが合わされた範囲を示す第２のフォーカス枠を、前記第１のフォーカス枠に対して前記倍率で表示させる表示制御手段とを備える。
【００２９】
本発明の一側面の撮像方法またはプログラムは、画像を撮像し、ユーザの操作に応じて撮像された所定の前記画像を記録画像として記録する撮像装置の撮像方法、または、その撮像装置のコンピュータに実行させるプログラムであって、前記撮像装置は、前記画像を撮像する撮像素子と、前記撮像素子により撮像された前記画像と、フォーカスを合わせる制御に用いられる範囲を示す第１のフォーカス枠とを表示する表示手段とを備え、前記記録画像が撮像されたときに、前記表示手段に表示されていた前記第１のフォーカス枠の位置と大きさを示すフォーカス枠情報を取得し、前記記録画像を前記表示手段に表示させるにあたり、前記記録画像が撮像されたときに前記表示手段に表示されていた前記画像に対する前記記録画像の倍率を決定し、前記表示手段に、前記記録画像を前記倍率で表示させるとともに、前記フォーカス枠情報に基づいて、前記記録画像においてフォーカスが合わされた範囲を示す第２のフォーカス枠を、前記第１のフォーカス枠に対して前記倍率で表示させるステップを含む。
【００３０】
本発明の一側面においては、撮像装置は、画像を撮像する撮像素子と、撮像素子により撮像された画像と、フォーカスを合わせる制御に用いられる範囲を示す第１のフォーカス枠とを表示する表示手段とを備えており、記録画像が撮像されたときに、表示手段に表示されていた第１のフォーカス枠の位置と大きさを示すフォーカス枠情報が取得される。また、記録画像を表示手段に表示させるにあたり、記録画像が撮像されたときに表示手段に表示されていた画像に対する記録画像の倍率が決定される。そして、表示手段に、記録画像が、その倍率で表示されるとともに、フォーカス枠情報に基づいて、記録画像においてフォーカスが合わされた範囲を示す第２のフォーカス枠が、第１のフォーカス枠に対して、その倍率で表示される。
【発明の効果】
【００３１】
本発明の一側面によれば、表示手段に表示された記録画像により、ユーザに、フォーカスが合わされた対象を正確に把握させることができる。
【発明を実施するための最良の形態】
【００３２】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００３３】
本発明の一側面の撮像装置は、画像を撮像し、ユーザの操作に応じて撮像された所定の前記画像を記録画像として記録する撮像装置であって、
前記画像を撮像する撮像素子（例えば、図３の撮像素子３４）と、
前記撮像素子により撮像された前記画像と、フォーカスを合わせる制御に用いられる範囲を示す第１のフォーカス枠とを表示する表示手段（例えば、図３のLCD３８）と、
前記記録画像が撮像されたときに、前記表示手段に表示されていた前記第１のフォーカス枠の位置と大きさを示すフォーカス枠情報を取得する取得手段（例えば、図５のステップＳ１２の処理を実行する図３の制御部４３）と、
前記記録画像を前記表示手段に表示させるにあたり、前記記録画像が撮像されたときに前記表示手段に表示されていた前記画像に対する前記記録画像の倍率を決定する決定手段（例えば、図５のステップＳ１５の処理を実行する図３の制御部４３）と、
前記表示手段に、前記記録画像を前記倍率で表示させるとともに、前記フォーカス枠情報に基づいて、前記記録画像においてフォーカスが合わされた範囲を示す第２のフォーカス枠を、前記第１のフォーカス枠に対して前記倍率で表示させる表示制御手段（例えば、図５のステップＳ１６の処理を実行する図３の制御部４３）と
を備える。
【００３４】
本発明の一側面の撮像方法またはプログラムは、画像を撮像し、ユーザの操作に応じて撮像された所定の前記画像を記録画像として記録する撮像装置の撮像方法またはプログラムであって、
前記撮像装置（例えば、図３のディジタルカメラ３１）は、
前記画像を撮像する撮像素子（例えば、図３の撮像素子３４）と、
前記撮像素子により撮像された前記画像と、フォーカスを合わせる制御に用いられる範囲を示す第１のフォーカス枠とを表示する表示手段（例えば、図３のLCD３８）と
を備え、
前記記録画像が撮像されたときに、前記表示手段に表示されていた前記第１のフォーカス枠の位置と大きさを示すフォーカス枠情報を取得し（例えば、図５のステップＳ１２）、
前記記録画像を前記表示手段に表示させるにあたり、前記記録画像が撮像されたときに前記表示手段に表示されていた前記画像に対する前記記録画像の倍率を決定し（例えば、図５のステップＳ１５）、
前記表示手段に、前記記録画像を前記倍率で表示させるとともに、前記フォーカス枠情報に基づいて、前記記録画像においてフォーカスが合わされた範囲を示す第２のフォーカス枠を、前記第１のフォーカス枠に対して前記倍率で表示させる（例えば、図５のステップＳ１６）
ステップを含む。
【００３５】
以下、本発明を適用した具体的な実施の形態について、図面を参照しながら詳細に説明する。
【００３６】
図３は、本発明を適用したディジタルカメラ３１の一実施の形態の構成例を示すブロック図である。
【００３７】
図３において、ディジタルカメラ３１は、レンズ部３２、アクチュエータ３３、撮像素子３４，A/D(Analog/Digital)回路３５、画像処理部３６、RAM（Random Access Memory）３７，LCD（Liquid Crystal Display）３８、コーデック３９、メモリコントローラ４０、記録媒体４１、操作キー４２、および制御部４３から構成される。
【００３８】
レンズ部３２は、図示しない被写体からの光を集光するレンズやフォーカス（ピント）の調整をするためのフォーカスレンズ、絞り等の光学系その他から構成されており、被写体からの光を、撮像素子３４の受光面に集光する。
【００３９】
アクチュエータ３３は、制御部４３の制御に基づいて、レンズ部３２のフォーカスレンズを移動させ、フォーカスを調整する。
【００４０】
撮像素子３４は、例えば、CCD（Charge Coupled Device），CMOS(Complementary Metal Oxide Semiconductor)センサなどで構成され、画像を撮像する。即ち、撮像素子３４は、レンズ部３２を介して入射する被写体からの光を受光して光電変換を行い、光の受光量に応じた電気信号としてのアナログ信号の画像（画像信号）を、A/D回路３５に供給する。
【００４１】
A/D回路３５は、撮像素子３４からのアナログ信号の画像をA/D変換し、その結果得られるディジタル信号の画像（画像データ）を、画像処理部３６に供給する。
【００４２】
画像処理部３６は、制御部４３の制御に従い、A/D回路３５からの画像に対して、ノイズを除去する画像処理や、ホワイトバランスを調整する画像処理などを施す。
【００４３】
さらに、画像処理部３６は、例えば、記録画像の横×縦の画素数が640×480に設定されていれば、撮像素子３４により撮像された画像に対して、横×縦の画素数を640×480に変換する画像処理を施し、画像処理が施された画像をコーデック３９に供給する。また、画像処理部３６は、例えば、記録画像の横×縦の画素数が1280×960に設定されていれば、撮像素子３４により撮像された画像に対して、横×縦の画素数を1280×960に変換する画像処理を施し、画像処理が施された画像をコーデック３９に供給する。
【００４４】
また、画像処理部３６は、例えば、LCD３８の表示可能領域の横×縦の画素数が640×480であれば、撮像素子３４により撮像された画像に対して、横×縦の画素数を640×480に変換する画像処理を施し、画像処理が施された画像に、フォーカスの制御に用いられる範囲を示すフォーカス枠（例えば、後述する図４のフォーカス枠５３ａ）を重畳させる。そして、画像処理部３６は、フォーカス枠が重畳された画像を、LCD３８が表示可能なビデオ信号に変換し、LCD３８に供給して表示させる。
【００４５】
RAM３７は、画像処理部３６が画像処理を施すにあたり、一時的に記憶する必要があるデータを記憶する。
【００４６】
LCD３８は、画像処理部３６から供給される画像を表示する。即ち、LCD３８は、撮像素子３４により撮像された画像にフォーカス枠が重畳された画像を表示する。
【００４７】
コーデック３９は、画像処理部３６から供給された画像を、例えば、JPEG(Joint Photographic Experts Group)方式等で圧縮し、その結果得られる圧縮画像を、メモリコントローラ４０に供給する。また、コーデック３９は、メモリコントローラ４０から供給される圧縮画像を伸張し、その結果得られる画像を、画像処理部３６を介してLCD３８に供給して表示させる。
【００４８】
メモリコントローラ４０は、記録媒体４１を制御し、コーデック３９から供給される圧縮画像を記録媒体４１に記録させ、記録媒体４１に記録されている圧縮画像を読み出して、コーデック３９に供給する。
【００４９】
記録媒体４１は、例えば、EEPROM（Electronically Erasable and Programmable Read Only Memory）などのフラッシュメモリからなり、メモリコントローラ４０から供給される圧縮画像を、記録画像として記録する。なお、記録媒体４１は、ディジタルカメラ３１に内蔵されていてもよく、また、ディジタルカメラ３１に対して着脱可能となっていてもよい。
【００５０】
操作キー４２は、例えば、図示しないシャッタや方向指示キーなどを備えており、ユーザにより操作され、ユーザの操作に応じた操作信号を、制御部４３に供給する。
【００５１】
制御部４３は、CPU（Central Processing Unit）４４およびメモリ４５を備え、CPU４４がメモリ４５に記録されているプログラムを実行することにより、ディジタルカメラを構成する各部を制御し、また、操作キー４２からの操作信号に応じて、各種の処理を行う。メモリ４５は、CPU４４が実行するプログラムや、CPU４４がプログラムを実行する上で必要なデータなどを記憶する。
【００５２】
例えば、制御部４３は、画像処理部３６を制御し、撮像素子３４により撮像されている画像を、スルー画像として、LCD３８にリアルタイムで表示させる。
【００５３】
また、制御部４３は、ユーザが操作キー４２の図示しないシャッタを操作し、そのシャッタの操作に応じた操作信号が操作キー４２から供給されると、画像処理部３６を制御して、操作キー４２から操作信号が供給されたタイミングで撮像素子３４により撮像された画像を、記録画像として、コーデック３９およびメモリコントローラ４０を介して、記録媒体４１に記録させる。
【００５４】
また、制御部４３は、画像処理部３６を制御して、その記録画像を、レビュー画像として、例えば、２秒程度、LCD３８に表示させる。そして、制御部４３は、レビュー画像をLCD３８に表示させるにあたり、例えば、記録画像の画素数と、LCD３８の表示可能領域の画素数との比率に応じて、記録画像の一部が拡大された画像をレビュー画像としてLCD３８に表示させる。
【００５５】
また、制御部４３は、シャッタの操作に応じた操作信号が操作キー４２から供給されたときに、画像処理部３６がLCD３８に表示させていたフォーカス枠について、その位置と大きさを示すフォーカス枠情報を、画像処理部３６から取得して、メモリ４５に一時的に記憶させる。そして、制御部４３は、レビュー画像をLCD３８に表示させるにあたり、このフォーカス枠情報に基づいて、記録画像のフォーカスが合わされた範囲を示すフォーカス枠（例えば、後述する図４のフォーカス枠５３ｃ）を、レビュー画像に重畳して表示させる。
【００５６】
ここで、ディジタルカメラ３１は、フォーカスを制御する制御モードとして、複数のフォーカスの制御モードを有しており、制御部４３は、ユーザの操作に応じた操作信号が操作キー４２から供給されたときに、フォーカス枠情報とともに、ディジタルカメラ３１のフォーカスの制御モードを示すフォーカスモード情報を、メモリ４５に一時的に記憶させる。
【００５７】
ディジタルカメラ３１のフォーカスの制御モードとしては、例えば、画面の中央付近に配置されている被写体に対して重点的にフォーカスを合わせる中央重点モード、ユーザの操作に応じて画面の任意の位置に配置されている被写体に対してフォーカスを合わせるフリースポットモード、または、あらかじめ設定されている複数の領域に表示されている被写体のうちのディジタルカメラ３１に、比較的に近い位置にある被写体に対してフォーカスを合わせるマルチモードなどがある。ディジタルカメラ３１では、例えば、画像の撮像を開始するにあたり、ユーザにより操作キー４２が操作されてフォーカスの制御モードが設定（選択）される。
【００５８】
なお、CPU４４に実行させるプログラムは、あらかじめメモリ４５にインストール（記憶）させておく他、記録媒体４１に記録しておき、パッケージメディアとしてユーザに提供して、その記録媒体４１から、メモリコントローラ４０、コーデック３９、および画像処理部３６を介して、メモリ４５にインストールすることができる。また、CPU４４に実行させるプログラムは、ダウンロードサイトから、図示しない通信部を介して、ディジタルカメラ３１に直接ダウンロードし、あるいは、図示せぬコンピュータでダウンロードして、ディジタルカメラ３１に供給し、メモリ４５にインストールすることも可能である。
【００５９】
以上のように構成されるディジタルカメラ３１では、撮像素子３４により撮像された画像が、A/D回路３５を介して画像処理部３６に供給され、画像処理部３６においてフォーカス枠が重畳されて、スルー画像としてLCD３８に表示される。また、ディジタルカメラ３１では、ユーザにより、操作キー４２の図示しないシャッタが操作されると、そのシャッタの操作に応じたタイミングで撮像素子３４により撮像された画像が、記録画像として記録媒体４１に記録されるとともに、レビュー画像としてLCD３８に表示される。
【００６０】
次に、図４は、ディジタルカメラ３１のフォーカスの制御モードがフリースポットモードである場合において、LCD３８に表示されるスルー画像またはレビュー画像の表示例を示している。
【００６１】
図４の上側には、ユーザにより、シャッタが操作されたとき（または、その直前）のスルー画像５１ａが示されており、図４の中央には、スルー画像５１ａと等しい大きさの記録画像であるレビュー画像５１ｂが示されており、図４の下側には、スルー画像５１ａを４倍に拡大した画像に対応する記録画像の一部の画像であるレビュー画像５１ｃが示されている。
【００６２】
例えば、ユーザが、画面の中央より左下側にフォーカス枠５３ａが配置されるようにディジタルカメラを操作し、飛行機５２ａを被写体として、画面の左側に飛行機５２ａが配置されるようにディジタルカメラを動かすと、ディジタルカメラ３１は、画面の左側に飛行機５２ａが配置されたスルー画像５１ａをLCD３８に表示する。また、LCD３８には、スルー画像５１ａの飛行機５２ａの右翼の先端に重ね合わされて、フォーカス枠５３ａが表示されている。
【００６３】
ここで、例えば、LCD３８の表示可能領域の横×縦の画素数が640×480であり、記録画像の横×縦の画素数が640×480に設定されているとする。
【００６４】
そして、ユーザが、スルー画像５１ａのように構図を決定し、操作キー４２の図示しないシャッタを操作すると、ディジタルカメラ３１は、そのシャッタの操作に応じて撮像された画像を記録画像として記録するとともに、スルー画像５１ａに表示される飛行機５２ａと等しい大きさの飛行機５２ｂが表示されるレビュー画像５１ｂをLCD３８に表示する。また、ディジタルカメラ３１は、スルー画像５１ａに重畳して表示されていたフォーカス枠５３ａと同一の位置と大きさのフォーカス枠５３ｂを、LCD３８に表示する。
【００６５】
一方、例えば、LCD３８の表示可能領域の横×縦の画素数が640×480であり、記録画像の横×縦の画素数が1280×960（即ち、LCD３８の表示可能領域の横×縦の画素数の４倍）に設定されているとする。
【００６６】
そして、ユーザが、スルー画像５１ａのように構図を決定し、操作キー４２の図示しないシャッタを操作すると、ディジタルカメラ３１は、そのシャッタの操作に応じて撮像された画像を記録画像として記録するとともに、スルー画像５１ａに表示される飛行機５２ａに対して４倍の大きさの飛行機５２ｃが表示されるレビュー画像５１ｃをLCD３８に表示する。また、ディジタルカメラ３１は、スルー画像５１ａに重畳して表示されていたフォーカス枠５３ａの４倍の大きさのフォーカス枠５３ｃが画面の中央に配置されるように、フォーカス枠５３ｃをディスプレイに表示する。
【００６７】
即ち、レビュー画像５１ｃは、スルー画像５１ａに対して４倍の大きさの記録画像の一部が、スルー画像５１ａにおいてフォーカス枠５３ａが表示されていた箇所を中心としてLCD３８に表示された画像である。
【００６８】
このように、レビュー画像５１ｃでは、飛行機５２ｃが、飛行機５２ａの４倍の大きさで表示されるのに応じて、フォーカス枠５３ｃが、フォーカス枠５３ａの４倍の大きさで表示される。なお、レビュー画像５１ｃの左上に表示されているマークおよび「×4.0」は、レビュー画像５１ｃが、スルー画像５１ａを４倍に拡大した画像に対応する画像であることを表している。
【００６９】
次に、図５は、図３のディジタルカメラ３１が画像を撮像する処理を説明するフローチャートである。
【００７０】
ユーザは、ディジタルカメラ３１で画像を撮像するにあたり、記録画像の横×縦の画素数や、フォーカスの制御モードなどを設定（選択）する。例えば、ユーザは、フォーカスの制御モードとして、フリースポットモードを選択した場合には、操作キー４２に備えられている図示しない方向キーを操作して、フォーカス枠の位置を移動させることができる。そして、ユーザは、フォーカス枠の位置を移動させ、LCD３８に表示されるスルー画像により構図を決定して、操作キー４２の図示しないシャッタを操作する。
【００７１】
ユーザが、シャッタを操作すると、そのシャッタの操作に応じた操作信号が操作キー４２から制御部４３に供給され、ステップＳ１１において、制御部４３は、ディジタルカメラ３１の各部を制御して、画像を撮像する。
【００７２】
例えば、図４のスルー画像５１ａが表示されているときに、ユーザが、シャッタを操作したとすると、制御部４３は、そのシャッタの操作に応じ、アクチュエータ３３を制御して、スルー画像５１ａのフォーカス枠５３ａの範囲内に表示されている飛行機５２ａの右翼の先端にフォーカスが合うようにフォーカスを調整させ、画像処理部３６を制御して、フォーカスが調整されて撮像素子３４により撮像された画像に対する画像処理を行わせる。
【００７３】
ステップＳ１１の処理後、ステップＳ１２に進み、制御部４３は、フォーカス枠の位置と大きさを示すフォーカス枠情報を画像処理部３６から取得して、フォーカスの制御モードを示すフォーカスモード情報とともにメモリ４５に記憶させる。
【００７４】
ステップＳ１２の処理後、ステップＳ１３に進み、制御部４３は記録画像の横×縦の画素数が、LCD３８の表示可能領域の横×縦の画素数と同一であるか否かを判定する。
【００７５】
ステップＳ１３において、制御部４３が、記録画像の横×縦の画素数が、LCD３８の表示可能領域の横×縦の画素数と同一であると判定した場合、ステップＳ１４に進み、制御部４３は、画像処理部３６を制御し、スルー画像に表示される被写体と等しい大きさの被写体が表示されるレビュー画像を、スルー画像に代えてLCD３８に表示させる。また、制御部４３は、ステップＳ１２でメモリ４５に記憶させたフォーカス枠情報に基づいて、スルー画像に重畳して表示されていたフォーカス枠と同一の位置と大きさのフォーカス枠を、LCD３８に表示させる。
【００７６】
即ち、例えば、図４のスルー画像５１ａが表示されているときに、ユーザが、シャッタを操作したとすると、ステップＳ１４において、制御部４３は、スルー画像５１ａに表示される飛行機５２ａと等しい大きさの飛行機５２ｂが表示されるレビュー画像５１ｂを、LCD３８に表示させるとともに、スルー画像５１ａに重畳して表示されていたフォーカス枠５３ａと同一の位置と大きさのフォーカス枠５３ｂをLCD３８に表示させる。
【００７７】
一方、ステップＳ１３において、制御部４３が、記録画像の横×縦の画素数が、LCD３８の表示可能領域の横×縦の画素数と同一でないと判定した場合、ステップＳ１５に進み、制御部４３は、スルー画像に対するレビュー画像の倍率を決定する。
【００７８】
制御部４３は、例えば、記録画像の横×縦の画素数と、LCD３８の表示可能領域の横×縦の画素数との比率に基づいて、スルー画像に対するレビュー画像の倍率を決定する。具体的には、記録画像の横×縦の画素数が、LCD３８の表示可能領域の横×縦の画素数の４倍である場合（例えば、LCD３８の表示可能領域の横×縦の画素数が640×480であり、記録画像の横×縦の画素数が1280×960に設定されていている場合）、制御部４３は、スルー画像に対するレビュー画像の倍率を４倍（横×縦が２×２倍）に決定する。
【００７９】
ステップＳ１５の処理後、ステップＳ１６に進み、制御部４３は、画像処理部３６を制御して、スルー画像に対して４倍の大きさの記録画像の一部の画像であって、スルー画像においてフォーカス枠が表示されていた箇所を中心とした画像であるレビュー画像を、スルー画像に代えてLCD３８に表示させる。また、制御部４３は、ステップＳ１２で取得したフォーカス枠情報に基づき、スルー画像で表示されていたフォーカス枠の４倍の大きさのフォーカス枠が画面の中央に配置されるように、フォーカス枠をLCD３８に表示させる。
【００８０】
即ち、例えば、図４のスルー画像５１ａが表示されているときに、ユーザが、シャッタボタンを操作したとすると、制御部４３は、スルー画像５１ａに対して４倍の大きさの記録画像の一部の画像であって、スルー画像５１ａにおいてフォーカス枠５３ａが表示されていた箇所を中心とした画像であるレビュー画像５１ｃをLCD３８に表示させるとともに、フォーカス枠５３ａの４倍の大きさのフォーカス枠５３ｃが画面の中央に配置されるように、フォーカス枠５３ｃをLCD３８に表示させる。
【００８１】
ステップＳ１４またはＳ１６の処理後、ステップＳ１７に進み、制御部４３は、レビュー画像を表示してから、所定の表示時間が経過したか否かを判定し、所定の表示時間が経過したと判定されるまでレビュー画像が表示され続けられる。ディジタルカメラ３１には、レビュー画像の表示を開始してから終了するまでの表示時間として、例えば、２秒程度の時間が、あらかじめ設定されている。
【００８２】
ステップＳ１６において、所定の表示時間が経過したと判定されると、ステップＳ１８に進み、制御部４３は、画像処理部３６を制御し、レビュー画像の表示を終了してLCD３８の表示をスルー画像に切り替えるとともに、コーデック３９およびメモリコントローラ４０を介して記録媒体４１に記録画像を供給させて記録させ、処理を終了する。
【００８３】
以上のように、ディジタルカメラ３１では、スルー画像とレビュー画像とにおいて、スルー画像の被写体に対するレビュー画像の被写体の倍率と、スルー画像のフォーカス枠に対するレビュー画像のフォーカス枠の倍率とが、同一とされている。
【００８４】
これにより、スルー画像においてフォーカス枠が囲む範囲に映っている被写体の部分と、レビュー画像においてフォーカス枠が囲む範囲に映っている被写体の部分とが同一になる。即ち、記録画像を撮像するときにフォーカスが合わされる対象となった被写体の部分が、レビュー画像のフォーカス枠の範囲内に正確に表示される。従って、ユーザは、レビュー画像により、フォーカスが合わされる対象となった被写体を正確に把握することができる。
【００８５】
そして、例えば、レビュー画像において、フォーカスを合わせる対象とした被写体がフォーカス枠の範囲内に表示されていなければ、ユーザは、フォーカスの制御モードの設定を変更したりして、再度、記録画像の撮像を行うことができる。
【００８６】
なお、ディジタルカメラ３１では、記録画像の画素数とLCD３８の表示可能領域の画素数とが同一でなくても、スルー画像と同じ大きさのレビュー画像をLCD３８に表示させること、即ち、レビュー画像の拡大表示が行われないように設定することができる。ユーザが、記録画像を撮像する前に、レビュー画像の拡大表示が行われないようにディジタルカメラ３１を設定すると、制御部４３は、図５のステップＳ１２の処理後、ステップＳ１３をスキップして、ステップＳ１４に進み、スルー画像と等しい大きさのレビュー画像を、LCD３８に表示させることができる。
【００８７】
また、本実施の形態では、記録画像の画素数とLCD３８の表示可能領域の画素数との比率に基づいて、レビュー画像を表示する倍率が決定されているが、レビュー画像を表示する倍率は、ユーザが任意に設定してもよい。
【００８８】
また、ディジタルカメラ３１では、例えば、図５のステップＳ１８の記録画像を記録媒体４１に記録させる処理において、フォーカス枠情報とフォーカスモード情報とを、記録画像に対応付けて記録媒体４１に記録させることができる。
【００８９】
このように、フォーカス枠情報とフォーカスモード情報とを、記録画像に対応付けて記録媒体４１に記録させることにより、例えば、ユーザが、ディジタルカメラ３１を制御して、記録媒体４１に記録されている記録画像を読み出してLCD３８に表示（再生）させるにあたり、LCD３８に表示される記録画像に重畳させて、その記録画像のフォーカスが合わされた範囲を示すフォーカス枠を表示させることができる。これにより、ユーザは、画像を撮像したときだけでなく、画像の再生時にも、フォーカスが合わされる対象となった被写体を正確に把握することができる。
【００９０】
また、制御部４３は、フォーカス枠をLCD３８に表示させるにあたり、フォーカスの制御モードに応じて、制御モードごとに異なる形状や個数のフォーカス枠をLCD３８に表示させることができる。
【００９１】
次に、図６は、ディジタルカメラ３１のフォーカスの制御モードが、画面の中央付近に配置されている被写体に対して重点的にフォーカスを合わせる中央重点モードである場合において、LCD３８に表示されるスルー画像またはレビュー画像の表示例を示している。
【００９２】
ディジタルカメラ３１のフォーカスの制御モードが中央重点モードである場合には、フォーカスの制御に用いられる範囲を示す略四角形状の枠に、「＋」が重ね合わされた形状のフォーカス枠が表示される。
【００９３】
図６の上側には、ユーザにより、シャッタが操作されたとき（または、その直前）のスルー画像６１ａが示されており、図６の中央には、スルー画像６１ａと等しい大きさの記録画像であるレビュー画像６１ｂが示されており、図６の下側には、スルー画像６１ａを４倍に拡大した画像に対応する記録画像の一部の画像であるレビュー画像６１ｃが示されている。
【００９４】
スルー画像６１ａには、被写体である飛行機６２ａが表示されており、飛行機６２ａの前方にある太陽６４ａにフォーカス枠６３ａが重ね合わされている。
【００９５】
レビュー画像６１ｂには、スルー画像６１ａに表示される飛行機６２ａや太陽６４ａと等しい大きさの飛行機６２ｂや太陽６４ｂが表示されており、スルー画像６１ａに表示されるフォーカス枠６３ａと同一の位置と大きさのフォーカス枠６３ｂが太陽６４ｂに重ね合わされている。
【００９６】
レビュー画像６１ｃには、スルー画像６１ａに表示される飛行機６２ａや太陽６４ａに対して４倍の大きさの飛行機６２ｃや太陽６４ｃが表示されており、スルー画像６１ａに表示されるフォーカス枠６３ａに対して４倍の大きさのフォーカス枠６３ｃが太陽６４ｃに重ね合わされている。
【００９７】
レビュー画像６１ｃでは、フォーカス枠６３ｃの範囲内には、飛行機６２ｃの前方にある太陽６４ｃしか表示されていない。これにより、ユーザは、レビュー画像６１ｃを確認することで、例えば、スルー画像６１ａのような構図で飛行機６２ａにフォーカスを合わせたいときには、フォーカスの制御モードを、例えば、フォーカス枠を任意の位置に移動させることができるフリースポットモードに変更する必要があることを、認識することができる。
【００９８】
次に、図７は、ディジタルカメラ３１のフォーカスの制御モードが、あらかじめ設定されている複数の領域に表示されている被写体のうちの比較的にディジタルカメラ３１に近い位置にある被写体に対してフォーカスを合わせるマルチモードである場合において、LCD３８に表示されるスルー画像またはレビュー画像の表示例を示している。
【００９９】
ディジタルカメラ３１のフォーカスの制御モードがマルチモードである場合には、例えば、スルー画像では、フォーカスの制御に用いられる範囲を示す略四角形状の５つのフォーカス枠７３ａ１乃至７３ａ５が、十字状に配置されて表示される。
【０１００】
図７の上側には、ユーザにより、シャッタが操作されたとき（または、その直前）のスルー画像７１ａが示されており、図７の中央には、スルー画像７１ａと等しい大きさの記録画像であるレビュー画像７１ｂが示されており、図７の下側には、スルー画像７１ａを４倍に拡大した画像に対応する記録画像の一部の画像であるレビュー画像７１ｃが示されている。
【０１０１】
スルー画像７１ａでは、フォーカスの制御に用いられる範囲を示す略四角形状の５つのフォーカス枠７３ａ１乃至７３ａ５が、十字状に配置されて表示されており、被写体である飛行機７２ａにフォーカス枠７３ａ５が重ね合わされ、飛行機７２ａの前方にある雲７５ａにフォーカス枠７３ａ３が重ね合わされている。
【０１０２】
そして、例えば、LCD３８の表示可能領域の画素数と、記録画像の横×縦の画素数とが同一であれば、ユーザが、スルー画像７１ａのように構図を決定してシャッタを操作すると、ディジタルカメラ３１は、そのシャッタの操作に応じて、スルー画像７１ａに表示される飛行機７２ａや雲７５ａと等しい大きさの飛行機７２ｂや雲７５ｂが表示されるレビュー画像７１ｂを、LCD３８に表示する。レビュー画像７１ｂでは、フォーカス枠７３ｂ１乃至７３ｂ５のうちの、飛行機７２ｂに重ね合わされたフォーカス枠７３ｂ５と、雲７５ｂに重ね合わされたフォーカス枠７３ｂ３のみが表示されている。
【０１０３】
一方、例えば、記録画像の横×縦の画素数がLCD３８の表示可能領域の画素数の４倍であれば、ユーザが、スルー画像７１ａのように構図を決定してシャッタを操作すると、ディジタルカメラ３１は、そのシャッタの操作に応じて、スルー画像７１ａに対して４倍の大きさの記録画像の一部を、スルー画像７１ａに重畳して表示されていたフォーカス枠７３ａ５とフォーカス枠７３ａ３との中間点が画面の中央となるように、LCD３８に表示する。レビュー画像７１ｃでは、フォーカス枠７３ｃ５または７３ｃ３が、スルー画像７１ａのフォーカス枠７３ａ５または７３ａ３に対して、それぞれ４倍の大きさで表示される。
【０１０４】
なお、上述のフローチャートを参照して説明した各処理は、必ずしもフローチャートとして記載された順序に沿って時系列に処理する必要はなく、並列的あるいは個別に実行される処理（例えば、並列処理あるいはオブジェクトによる処理）も含むものである。
【０１０５】
また、本発明の実施の形態は、上述した実施の形態に限定されるものではなく、本発明の要旨を逸脱しない範囲において種々の変更が可能である。
【図面の簡単な説明】
【０１０６】
【図１】従来のディジタルカメラのディスプレイに表示されるスルー画像またはレビュー画像の表示例である。
【図２】従来のディジタルカメラのディスプレイに表示されるスルー画像またはレビュー画像の表示例である。
【図３】本発明を適用したディジタルカメラ３１の一実施の形態の構成例を示すブロック図である。
【図４】ディジタルカメラ３１のLCD３８に表示されるスルー画像またはレビュー画像の表示例である。
【図５】図３のディジタルカメラ３１が画像を撮像する処理を説明するフローチャートである。
【図６】スルー画像またはレビュー画像の他の表示例である。
【図７】スルー画像またはレビュー画像のさらに他の表示例である。
【符号の説明】
【０１０７】
３１  ディジタルカメラ，  ３２  レンズ部，  ３３  アクチュエータ，  ３４  撮像素子，  ３５  A/D回路，  ３６  画像処理部，  ３７  RAM，  ３８  LCD，  ３９  コーデック，  ４０  メモリコントローラ，  ４１  記録媒体，  ４２  操作キー，  ４３  制御部，  ４４  CPU，  ５１ａ  スルー画像，  ５１ｂおよびｃ  レビュー画像，  ５３ａ乃至５３ｃ  フォーカス枠５３
【図１】
2008067159.tif 000003
【図２】
2008067159.tif 000004
【図３】
2008067159.tif 000005
【図４】
2008067159.tif 000006
【図５】
2008067159.tif 000007
【図６】
2008067159.tif 000008
【図７】
2008067159.tif 000009